(57)【要約】      （修正有）【課題】低コストでかつ封緘シールの役割を果し、取扱に優れた封緘シールの提供する。【解決手段】キャップ３に貼付する封緘シール１の両側の左右それぞれから１箇所以上の切込み２を設け、該左右の切込み部が封緘シールの中央部で接触しないように交錯させるように設け、該切込み交錯部の重なり部分が０〜２ｍ/ｍとした。これにより、使用時に引き裂き易く、生産時や流通過程、店頭での陳列時等において封緘シールの切り裂けが無く、しかも不正に開封した場合に貼り直すことができないことを可能とした。【選択図】図４
2007310065.tif 000002
【特許請求の範囲】
【請求項１】
容器と、該容器の開口に取り付けたキャップに跨って貼付される封緘シールにおいて、裏面の一部又は全面に粘着剤が塗布され、キャップに貼付する封緘シールの両側の左右それぞれから１箇所以上の切込みを設け、該左右の切込み部が封緘シール上で接触しないように交錯させるように設け、該切込み交錯部の重なりが０ミリメートル以上となるように設けたことを特徴とする封緘シール。
【発明の詳細な説明】
【技術分野】
【０００１】
本発明は、化粧品等のキャップを有する容器のキャップと容器に跨って貼付する封緘シールに関する。
【背景技術】
【０００２】
従来、化粧品等を充填した包装容器の流通過程及び店頭での不正開封を防止し、内容物のバージン性を保証するために、封緘用のシ−ルが広く用いられている。この場合、糊残りが少ない封緘シールを容器とキャップに跨って貼り付けただけでは、不正に剥がした後、貼り直すことにより、一見しただけでは不正使用を見抜くことができない場合が多く封緘シールの役割を果せない。
【０００３】
そこで、封緘用のシ−ルに用いる粘着剤の粘着性を強力にした封緘シール、封緘シールを剥がしたときに封緘シール裏面に隠し印刷を施して封緘シールを剥がしたときに開封の事実を示す文字等が現れるようにした封緘シール、封緘シールにスリットや切込みを設けて不正に開封した場合に貼り直すことができないようにした封緘シール等が提案されている。
【０００４】
しかし、粘着性を強力にした封緘シールを用いた場合には糊残りが、封緘シール裏面に隠し印刷を施した場合にはコスト上昇が、封緘シールにスリットや切込みを設けた場合には生産時、流通過程及び店頭での消費者の品目選定等の動作において不正使用でないのに封緘シールが切り裂かれる等の問題がある。
【特許文献１】特開２００２−１６２９０９号公報
【特許文献２】特開２００５−１８９４５６号公報
【発明の開示】
【発明が解決しようとする課題】
【０００５】
解決しようとする課題は、低コストでかつ封緘シールの役割を果し、取扱に優れた封緘シールの提供である。
【課題を解決するための手段】
【０００６】
上記課題を解決するため、発明者は鋭意研究を重ねた結果、キャップに貼付する封緘シールの両側の左右それぞれから１箇所以上の切込みを設け、該左右の切込み部が封緘シール上で接触しないように交錯させるように設け、該切込み交錯部の重なり部分が０〜２mmであるの長さにすることで、生産時や流通過程、店頭での陳列時等において封緘シールの切り裂けが無く、しかも不正に開封した場合に貼り直すことができない状態にすることが可能であることを見出し、本発明を完成するに至った。
【０００７】
即ち、本発明の封緘シールは、キャップに貼付する側の封緘シールの両側よりそれぞれ１箇所以上の切込みを封緘シール上で接触せずしかも交錯するように設けることで、低コストでありながら糊残りが少ない封緘シールを用いた場合においても十分に封緘シールの役割を果すことが可能となる。
【発明の効果】
【０００８】
本発明の機能性に優れた封緘シールは、低コストでありながら十分に封緘シールの役割を果すことを可能とした。
【発明を実施するための最良の形態】
【０００９】
本発明の機能性に優れた封緘シールは、従来技術として提案されているスリットや切込みでは、成し得なかった機能性を有する。従来の提案のスリットや切込みは、本発明の封緘シールに設けたものと異なり、それぞれのスリットが交錯するように設けられておらず、スリットの長さが短いと開封し難く、スリットの長さが長いと生産時や流通過程等で封緘シールが切り裂けて封緘シールの役割を果すことができないという問題を依然として有していた。そこで、本発明の封緘シールについて図を用いて説明する。
【００１０】
図1は、従来の封緘シールを示した図。図２及び図３は、本発明の封緘シールを示した図。図４は、本発明の封緘シールを化粧品容器に貼付した図。図５は、本発明の封緘シールを切込み部にそって引き剥がした状態を表した図。図６は、本発明の封緘シールの切込み部を拡大した説明図である。
【実施例】
【００１１】
以下、実施例を挙げて本発明を具体的に説明する。なお、本発明はこれに限定されるものではない。
【００１２】
本発明の封緘シールに用いることが出来る材質及び粘着剤の種類と粘着強度は、本発明の機能を損なわない範囲において、特に制限はない。また、封緘シールの形状に関しても特に制限は無い。
【００１３】
また、本発明の封緘シールに設ける切込み部の数は、封緘シールの左右両側よりそれぞれ１箇所以上であれば、切込み部を設ける位置に関しても特に制限は無いが、２つの切込み部の交錯する部分の距離や２つの切込み開始部の位置が封緘シ−ル上部１１からみて大きく離れていないことが好ましく、形状としては、図２及び図３に示した形状のようにキャップ及び容器本体に貼付する部部が該両部を連結する部分より面積が広くなるようにすることが好ましい。この場合、形状に関して特に制限はない。
【００１４】
本発明の封緘シールは、生産時に、図４に示すように、キャップと容器本体に跨って貼付し用いる。そして、消費者が使用する際に、意識的にキャップを回転させたり、上部に引っ張る等の行為を行うことにより、図５に示すように封緘シールに設けられた切込み部から封緘シールが引き裂かれ、封緘形態が解除される。
【００１５】
本発明の封緘シールは、図６に示すように、切込み部２ａ及び２ｂが該封緘シールの両側より中央部に向かい設けられており、中央線１ｃを越えて２本の切込み部が接触しないように交錯している。そして、２本の切込み部２ａ及び２ｂが交錯している長さ（２1ａから２２ａまでの長さと２１ｂから２２ｂまでの長さを加えた長さ）は、０．３〜３．０mmが好ましく、更には０.５〜２．０mmが好ましい。
【００１６】
また、切込み部２ａと２ｂの距離は、０．５〜２．０mmが好ましく、０．３mmより近づくと引き裂かれ易くなり過ぎ、流通過程等にて引き裂かれる場合が発生する。そして、図２に示すように切込み部２ａと２ｂは封緘シールに並行ではなく設けられている場合、交錯部分の最も近い距離が０．５mmより離れていることが好ましい。
【００１７】
図２及び図３で示す本発明の封緘シールを用いて、製品の封緘性を維持する場合は、従来の形状に２箇所の切込み部を前記に示すような特定の条件で設けることにより、使用時に引き裂き易く、流通段階では封緘性を維持でき、十分に不正使用を防止でき、しかも、資材コスト及び生産コストを含めた両方のコストを抑えることが可能となる。
【産業上の利用可能性】
【００１８】
本発明は、機能性に優れた封緘シールは、使用時に引き裂き易く、十分な封緘機能を有し、しかも低コストで供給が可能なため、化粧料容器等の封緘シールとして広く利用が期待できるものである。
【図面の簡単な説明】
【００１９】
【図１】図1は、従来の封緘シールを示した図。
【００２０】
【図２】図２は、本発明の封緘シールを示した図。
【００２１】
【図３】図３は、本発明の封緘シールを示した図。
【００２２】
【図４】図４は、本発明の封緘シールを化粧品容器に貼付した図。
【００２３】
【図５】図５は、本発明の封緘シールを切込み部にそって引き剥がした状態を表した図。
【００２４】
【図６】図６は、本発明の封緘シールの切込み部を拡大した説明図である。
【符号の説明】
【００２５】
１              封緘シール
１ａ，１ｂ      切込み部で切り裂いた封緘シール
１ｃ            封緘シール中央線
１１            封緘シール上部
２，２ａ，２ｂ  切込み部
２１ａ，２１ｂ  切込み部の終端
２２ａ，２２ｂ  切込み部の封緘シール中央線との交差点
２ｃ            切込み部によって切り裂かれた封緘シール切片
３              キャップ
４              容器本体
【図１】
2007310065.tif 000003
【図２】
2007310065.tif 000004
【図３】
2007310065.tif 000005
【図５】
2007310065.tif 000006
【図４】
2007310065.tif 000007
【図６】
2007310065.tif 000008